【手続補正書】
【提出日】平成16年5月7日(2004.5.7)
【手続補正１】
【補正対象書類名】明細書
【補正対象項目名】特許請求の範囲
【補正方法】変更
【補正の内容】
【特許請求の範囲】
【請求項１】
複数の画素信号を有する信号列から、第１の極性を有する画素信号の信号列と第２の極性を有する画素信号の信号列とを作成する反転信号出力手段と、
前記第１の極性を有する画素信号の信号列と前記第２の極性を有する画素信号の信号列との一方を選択して出力する複数の極性信号選択手段と、
前記複数の極性信号選択手段の出力を受信して、前記画素信号の各々を展開し、一つの列のマトリクスの画素の特定位置に対応する展開した前記展開画素信号の組み合わせが他の列の画素の特定位置に対応する展開した前記画素信号の組み合わせと異なっている複数の第１の信号列を並列に生成する相展開手段と、
前記第１の信号列を受信するための複数の選択手段を有し、且つ前記第１の信号列のいずれかを選択して第２の信号列を並列に生成するローテーション手段と、
前記複数の第２の信号列を受信して、前記複数の第２の信号列をサンプリングすることによって前記画素を駆動するための画像信号を生成する、サンプリング手段と、
所定の期間毎に前記複数の極性信号選択手段の選択を変更させるとともに、１つの特定期間毎に前記第１の信号列の前記展開した画素信号の前記組み合わせを前記相展開手段に変更させ、また、ローテーション手段に前記組み合わせを前記第２の信号列として元の組み合わせに変更させる制御手段、
とを具備した画像表示装置。
【請求項２】
請求項１において、前記制御手段は、前記相展開手段に、前記第１の信号列の前記展開した画素信号の前記組み合わせを一定の順序で変更させることを特徴とする画像表示装置。
【請求項３】
請求項１において、前記制御手段は、前記相展開手段に、前記第１の信号列の前記展開画素信号の前記組み合わせをランダムに変更させることを特徴とする画像表示装置。
【請求項４】
請求項１において、前記特定期間は、前記表示部の水平同期と同期されることを特徴とする画像表示装置。
【請求項５】
請求項１において、前記特定期間は、前記表示部の水平および垂直同期に同期されることを特徴とする画像表示装置。
【請求項６】
請求項１において、前記選択手段は複数のアナログスイッチを有しており、各々のアナログスイッチは前記複数のサンプルホルダー回路のいずれか１個を選択して前記第２の信号列を前記サンプリング手段のいずれかに供給することを特徴とする画像表示装置。
【請求項７】
請求項６において、前記制御手段は、複数のサンプルホルダー回路のいずれかを前記サンプリング手段に結合する組み合わせを変更することを特徴とする画像表示装置。
【請求項８】
請求項１において、前記選択手段は、前記サンプルホルダー回路の一部分のいずれかを選択することを特徴とする画像表示装置。
【請求項９】
請求項１において、前記制御手段は、複数のサンプルホルダー回路を前記サンプリング手段のいずれかに結合する組み合わせを変更することを特徴とする画像表示装置。
【請求項１０】
請求項１において、前記表示部は液晶パネルであり、画素は薄膜トランジスタならびに液晶を挟む２個の画素電極から成ることを特徴とする画像表示装置。
【請求項１１】
請求項１において、前記表示部は透過型液晶パネルおよび投写用光源を備えた投写型の表示手段であり、前記供給手段は前記透過型液晶パネルのデータ側駆動部に前記画素信号を供給することを特徴とする画像表示装置。
【請求項１２】
画素ユニットのラインを複数有する画像表示手段と、
水平走査期間内で所定の順番に並んだ複数の画素を表す複数の画素信号のそれぞれを所定個数の保持手段のそれぞれに所定の割当てで入力する相展開手段と、
前記水平走査期間に対応した前記画素ユニットのラインの一つの上で前記複数の画素が前記所定の順番で現れるように、前記所定個数の保持手段のそれぞれから前記画像信号を前記割当てに応じて受け取るローテーション手段と、
前記ローテーション手段からの画素信号を前記画素ユニットのラインの一つに供給する手段と、を備え、
前記所定の割当てが水平走査期間ごとに異なる、画像表示装置。
【請求項１３】
光源と、
前記光源からの光を変調する前記画像表示手段と、
前記画像表示手段によって変調された光を投写するレンズと、をさらに備えた請求項１２に記載の画像表示装置。
【手続補正２】
【補正対象書類名】明細書
【補正対象項目名】００１０
【補正方法】変更
【補正の内容】
【００１０】
【課題を解決するための手段】
本発明は、主として、反転信号出力回路、極性信号選択回路、相展開回路、ローテーション回路、サンプリング手段、およびそれらの制御回路から成る。反転信号出力回路は、複数の画素信号を有する信号列から、第１の極性を有する画素信号の信号列と第２の極性を有する画素信号の信号列とを作成する。極性信号選択回路は、前記第１の極性を有する画素信号の信号列と前記第２の極性を有する画素信号の信号列との一方を選択して出力する。相展開回路は、複数の画素信号より成るシリアルデータ（以下信号列と称す）を受信するための複数のサンプルホルダー回路を有しており、各々の画素信号を展開し、展開した画素信号を有する複数個の第１の信号列を並列に生成する。１つの信号列のマトリクスに配列された画素の特定位置に対応した展開した画素信号の組み合わせは、他の信号列の画素の特定位置に対応した展開した画素信号の他の組み合わせとは異なる。
【手続補正３】
【補正対象書類名】明細書
【補正対象項目名】００１２
【補正方法】変更
【補正の内容】
【００１２】
制御回路は、極性信号選択手段が出力する極性の選択を所定の期間毎に変更させるとともに、相展開手段が、一回の特定期間毎に第１の信号列の該展開した画素信号の組み合わせを変更するようにし、ローテーション回路が、変更された組み合わせを展開した画素信号の第２の信号列として元の組み合わせに戻すようにする。
【手続補正４】
【補正対象書類名】明細書
【補正対象項目名】００１９
【補正方法】変更
【補正の内容】
【００１９】
反転回路４０の画像信号出力回路４１は、入力画像信号Ｖに基づいて二種類の画像信号、すなわち入力画像信号の通常の正極性信号と反転入力画像信号の負極性信号を生成し、それらの２個のセレクタ４２ａと４２ｂに供給する。セレクタ４２ａは、正の画像信号ＶＰを選択し、それを相展開回路５０に供給する。セレクタ４２ｂは負の画像信号ＶＮを選択する。これらのセレクタ４２ａと４２ｂは、タイミング制御回路３５からの制御信号によって制御される。正および負の画像信号を生成することの主目的は、一方の極性の電圧信号を液晶に連続的に印加することによって生じるクロストークと呼ばれる液晶の劣化を避けるためである。
【手続補正５】
【補正対象書類名】明細書
【補正対象項目名】００２３
【補正方法】変更
【補正の内容】
【００２３】
これら第一展開画像信号は、ローテーション回路６０に供給される。サンプルホルダーＳＨ１〜ＳＨ６が、ローテーション回路６０無しで出力端子ＯＵＴ１〜ＯＵＴ６を介して信号配線１００と画素１１６に直に結合されと、第一展開画像信号は、各信号配線１００ならびに各画素ユニット１１４に正確に供給されない。例えば、期間２Ｈのとき、第一展開画像信号Ｖ２（１）は信号配線１００−１と画素Ｐ−１と画素Ｐ−７に供給される。しかし、第一の展開画像信号Ｖ２（１）は、不適切な展開画素信号Ｅ（ｎ）とＥ（６）を含んでおり、それらは配線１００−６ならびに画素ｐ−６とｐ−ｎに供給されてしまう。従って、ローテーション回路６０の主機能は、Ｖ（１）〜Ｖ１（６）ならびにＶ２（１）〜Ｖ２（６）から適切な第一の展開画像信号を選択することによってそのような不適切さを調整し、第二の展開画像信号Ｖ（１）〜Ｖ（６）を生成して、そのような第二の展開ビデオ信号を１００の適切な信号線に供給することである。
【手続補正６】
【補正対象書類名】明細書
【補正対象項目名】００４８
【補正方法】変更
【補正の内容】
【００４８】
また、本発明の画像表示装置によれば、相展開に用いられるサンプルホルダーなどの回路において増幅や反転等の処理を行う際にレベル差が多少あるなどの特性差が許容でき、この特性差による駆動用の画像信号の差を表示部の直前に相展開された画像信号とパネル駆動用の画像信号との組み合わせを入れ換えるローテーション回路によって表示部上では空間的に、また時間的に分散させることができる。従って、本発明の画像表示装置では、相展開する際の信号処理回路の間のレベル調整が不要となるので、回路設計や組立時にかかる手間やコストを低減し、小型で安価な高解像度・高画質の画像表示を提供することが可能となる。
【手続補正７】
【補正対象書類名】明細書
【補正対象項目名】符号の説明
【補正方法】変更
【補正の内容】
【符号の説明】
１０．液晶パネルブロック
２０．タイミング回路ブロック
３０．データ処理回路ブロック
３５．制御回路
４０．反転回路
４２．セレクタ
５０．相展開回路
５１．サンプルホルダー
６０．ローテーション回路
６１．ローテーション制御回路
６２．アナログスイッチ
６３．アナログスイッチ
７０．プロジェクタ
７２．ライトガイド
７３．ダイクロイックミラー
７４．液晶パネル
７５．ダイクロイックプリズム
７７．ミラー
１００．信号配線
１１３．列配線
１１６．画素